(57)【特許請求の範囲】
【請求項１】
天井裏の部材に吊られる吊り部材と、
その吊り部材により、下端が天井レベルより上方の待避位置と、天井レベル付近の設置位置との間で位置調整可能に吊られるフィルタボックスと、
そのフィルタボックスの下端の内周面に取り付けられる壁部およびその壁部の下端から外向きに延び、天井パネルの下面に当接する鍔部を備えた連結部材と、
前記フィルタボックスの上部に設けられた、回転運動により羽根の開度が調節される風量ダンパと、
該風量ダンパに回転運動を伝達する機構とを備え、
その回転運動を伝達する機構は、フィルタボックス側に設けられた風量ダンパに回転運動を伝達する上方の伝達機構と、前記連結部材側に設けられ、天井の下側から操作できる下方の伝達機構とからなっていて、
さらに、前記フィルタボックスの側壁に開口部が形成されており、
該開口部の外側の天井内に、前記上方の伝達機構と下方の伝達機構との接続部が配置されている、
フィルタボックスの取り付け構造。
【請求項２】
前記連結部材が、壁部の上端から内向きに延びる返し片を有する請求項１記載のフィルタボックスの取り付け構造。
【請求項３】
前記連結部材が、鍔状部の先端から上方に延びる垂片を有する請求項１または２記載のフィルタボックスの取り付け構造。
【請求項４】
回転運動により羽根の開度が調節される風量ダンパが設けられたフィルタボックスと、
そのフィルタボックスの下端の内周面に取り付けられる壁部およびその壁部の下端から外向きに延び、天井パネルの下面に取り付けられる鍔部を有する連結部材と、
前記フィルタボックス側に設けられた前記回転運動を伝達する上方の伝達機構および前記連結部材側に設けられた天井の下側から操作できる下方の伝達機構からなり、前記風量ダンパに回転運動を伝達する機構とを準備し、
前記フィルタボックスを、天井裏の部材に固定した吊り部材を用いてフィルタボックス下端が予定される天井レベルより上方に位置するように吊る第１工程と、
天井ボードを天井下地に天井レベルを下端として貼設する第２工程と、
建築墨または天井ボードを含む内装材目地から寸法を墨出しした、前記天井ボードに施す前記フィルタボックス用開口を形成する第３工程と、
前記フィルタボックスの下端を略天井レベルまで下降させる第４工程と、
前記連結部材によりフィルタボックスと天井とを連結する第５工程とをその順に行い、
該第５工程に続き、フィルタボックスの側壁に形成された開口部から前記上方の伝達機構と下方の伝達機構との接続部を接続し、その後開口部を閉じる工程を行うフィルタボックスの施工方法。
【発明の詳細な説明】
【技術分野】
【０００１】
本発明はフィルタボックスの取り付け構造およびそのフィルタボックスの施工方法に関する。さらに詳しくは、クリーンルームの吹き出し口などに用いる、ＨＥＰＡフィルタを収納したフィルタボックスの取り付け構造およびそのフィルタボックスの施工方法に関する。
【背景技術】
【０００２】
【特許文献１】特開平１１−２１６３２３号公報
【特許文献２】特開２００６−２９７３５９号公報
【０００３】
図６に従来のフィルタボックス(以下、ボックス)の取り付け構造を示す。この取り付け構造１００は、スラブや梁などに上端が固定された吊りボルト１０１と、それらの吊りボルト１０１の下方に吊られたボックス１０２と、そのボックス１０２に収納されたＨＥＰＡフィルタ１０３（以下、フィルタ）と、そのボックス１０２の下端の開口を覆うフェイス１０４とからなる。また、前記ボックス１０２の側面には、ダクト１０５の端部が接続され、ボックス１０２の下端からは外向きに鍔部１０２ｂが延びている。
【０００４】
図７に示すように、ボックス１０２の天面１０２ａの四隅を貫通した吊りボルト１０１の下部には、ナット１０２ｃが螺合している。そのため、ナット１０２ｃを回転させて、ボックス１０２の高さを調整することができる。
【０００５】
このような取り付け構造１００が施工されるクリーンルームの天井内には、天井裏からボックス１０２の取り付け工事やメンテナンスが出来るように、予め充分なスペースが設けられている場合が多い。そのスペースには、施工中のみならず引渡し後もメンテナンスのために使用できるキャットウォークと呼ばれる作業足場１２１が設けられている。また、単独の足場をスラブ下や梁などから吊設することが無くても、天井ボード１２２のフレームを強固なものにした上でその上に作業足場を敷込んだり、天井材そのものにサンドイッチパネルなど強固なものを用いたりして、歩行可能にしている。
【０００６】
前記ボックス１０２は室内側からフィルタ１０３の交換などのメンテナンスが出来る構造である。また、天井裏とボックス１０３との気密を維持するため、ボックス１０３の鍔部１０２ｂが天井ボード１２２と当接しており、それらの隙間にはシール部材１２４が盛られシールされている。そのため、ボックス１０２は、天井裏でダクト１０５との接続部および吹き出し口の２箇所のみが開放される構造となっている。
【０００７】
このような取り付け構造１００の施工方法を図８に示す。先ず、工事の発注の形態から、フィルタボックスの取り付けを行う業者と、天井ボードを貼設施工する業者との施工管理ラインが異なるのが常である。この取り付け構造１００では、ボックス１０２の下端に外向きの鍔部１０２ｂが設けられているので、次に、天井ボード１２３が敷設される前に、ボックス１０２をその通気口が天井レベルより低い位置になるように、吊りボルト１０１をボックス天面１０２ａの四隅を貫通させたのちナット１０２ｃを吊りボルト下端近くで仮止めし（工程Ｓ１´）、その後、天井ボード１２３を敷設する。その際に、天井ボードを貼設施工する業者は、ボックスの通気口を通すための開口をボックスに合わせて墨出し形成してしまいがちである（基本は建築墨や内装材の目地から追った墨出しを行い、その墨に基づき開口を開けるべきである）（工程Ｓ２´）。その後、ボックス１０２を引き上げて、鍔部１０２ｂと天井ボード１２２とをシール材１２３によりシールする。その後、フェイス１０４が取り付けられる（工程Ｓ３´）。
【０００８】
上記施工方法では、吊りボルト１０１の微妙なたわみがあること、および、スラブや梁という天井裏部材に吊りボルト１０１の上端を固定するインサートナット等の傾いたままの固定などにより吊りボルト１０１の垂直がとれないことから、工程Ｓ１´での仮止め時に正確な位置へのボックス１０２の吊り込みが困難である。そのため、不正確な位置のボックス１０２を基に天井開口を墨出ししてしまうと、その結果ボックス１０２はその辺を一直線上に並ばず、ボックス１０２に取り付くフェイス１０４が一直線にならず、見栄えがよくない。その他の施工方法として、最初に天井ボード１２２を敷設し、その天井ボード１２３の正確な位置に開口１２４を形成し、その開口１２４に合わせてボックス１０２を吊り込み、その後にダクト１０５を天井裏から接続する、という施工方法もある。この施工法ではボックス１０２の整列が可能であるが、竣工間際の天井貼設工事の後に多数のボックス取り付け工事を突貫で行うこととなり、開口１２４との現物合わせによる開口直しなどもどうしても発生することとなり、かつほとんどの作業を天井裏で行うので、作業も工事収まり上も困難が伴う。
【０００９】
特許文献１のフィルタユニットの取り付け構造は、天井ボード（天井パネル）の開口（連通口）に室内側および天井裏側からそれぞれ下部枠および上部枠を設け、それらを連結し、上部枠にフィルタを保持し、下部枠に整流板などを固定するというものである。また、特許文献２のフィルタユニットは、その空気吹出口にシートを容易に取り付けることができるように、その吹出口に多孔板が片開き自在に設けられている。
【発明の開示】
【発明が解決しようとする課題】
【００１０】
近年、フィルタボックスを使用するクリーンルームの建設コストを抑えるため、天井高の低い建物にして、その中にクリーンルームを構築するため、天井裏に前述の足場のようなメンテナンススペースを全く設けることができない場合がある。この場合、メンテナンスのための作業者が天井裏には入らないため、天井の構造も、軽量鉄骨の天井枠に、室側表面を無発塵処理した石膏ボードを貼るような簡易なものとなり、天井内に作業者が乗って作業することが物理的にも不可能となっている。さらには、建設コストの低減要請などのため、工事期間も短縮されている。
【００１１】
また、図８の従来の施工方法のように、天井ボードの貼り付け作業前にボックスを吊り込む方法では、前述のように、吊りボルトの傾きなどでボックスが設計上の位置からずれる。そして天井ボードを貼設施工する業者は、ボックスの通気口を通すための開口をボックスの位置に合わせて墨出ししていまいがちで、位置ずれしたボックスに合わせて天井の開口を形成するので、ボックスはずれたままの状態になる。そして、フィルタボックスの取り付け業者がそのずれを解消しようとすると、自身の工事範囲ではない他業者が施工した周囲の天井ボードを壊したり、取り外したりする必要が生じ、その調整に手間取り工事工程に無理が生じる。
【００１２】
天井に開口を形成する作業の際に、ボックスの作業員を立ち会わせることも考えられるが、両方の作業に待ち時間が発生し、工程全体の効率が低下して、待ち時間分を入れた人件費も発生する。
【００１３】
また、天井開口作業後にＨＥＰＡボックスを吊り込む場合、天井裏に上半身だけ乗り出してボックスとダクトを接続する作業をするため、ボックス取り付け位置近辺の天井面に天井点検口が必要となり、コストダウンとならない。また、作業環境が悪いため作業時間が延び、このこともコストアップの要因となる。
【００１４】
本発明は、簡易であるにもかかわらず、ボックス取り付け作業も天井貼設業者も、互いに施工用の墨出しに影響し合わないで、ボックスを正確な位置に取り付けることができるフィルタボックス取り付け構造および施工方法を提供することを技術課題としている。
【課題を解決するための手段】
【００１５】
本発明のフィルタボックスの取り付け構造（請求項１）は、天井裏の部材に吊られる吊り部材と、その吊り部材により、下端が天井レベルより上方の待避位置と、天井レベル付近の設置位置との間で位置調整可能に吊られるフィルタボックスと、そのフィルタボックスの下端の内周面に取り付けられる壁部およびその壁部の下端から外向きに延び、天井パネルの下面に当接する鍔部を備えた連結部材と、前記フィルタボックスの上部に設けられた、回転運動により羽根の開度が調節される風量ダンパと、該風量ダンパに回転運動を伝達する機構とを備え、その回転運動を伝達する機構は、フィルタボックス側に設けられた風量ダンパに回転運動を伝達する上方の伝達機構と、前記連結部材側に設けられ、天井の下側から操作できる下方の伝達機構とからなっていて、さらに、前記フィルタボックスの側壁に開口部が形成されており、該開口部の外側の天井内に、前記上方の伝達機構と下方の伝達機構との接続部が配置されていることを特徴とする。
【００１６】
このようなフィルタボックスの取り付け構造においては、前記連結部材が、壁部の上端から内向きに延びる返し片を有するものが好ましい（請求項２）。
【００１７】
また、前記連結部材が、鍔状部の先端から上方に延びる垂片を有するものが好ましい（請求項３）。
【００２０】
本発明のフィルタボックスの施工方法は（請求項４）は、回転運動により羽根の開度が調節される風量ダンパが設けられたフィルタボックスと、そのフィルタボックスの下端の内周面に取り付けられる壁部およびその壁部の下端から外向きに延び、天井パネルの下面に取り付けられる鍔部を有する連結部材と、前記フィルタボックス側に設けられた前記回転運動を伝達する上方の伝達機構および前記連結部材側に設けられた天井の下側から操作できる下方の伝達機構からなり、前記風量ダンパに回転運動を伝達する機構とを準備し、前記フィルタボックスを、天井裏の部材に固定した吊り部材を用いてフィルタボックス下
端が予定される天井レベルより上方に位置するように吊る第１工程と、天井ボードを天井下地に天井レベルを下端として貼設する第２工程と、建築墨または天井ボードを含む内装材目地から寸法を墨出しした、前記天井ボードに施す前記フィルタボックス用開口を形成する第３工程と、前記フィルタボックスの下端を略天井レベルまで下降させる第４工程と、前記連結部材によりフィルタボックスと天井とを連結する第５工程とをその順に行い、該第５工程に続き、フィルタボックスの側壁に形成された開口部から前記上方の伝達機構と下方の伝達機構との接続部を接続し、その後開口部を閉じる工程を行うことを特徴とする。
【発明の効果】
【００２２】
本発明のフィルタボックスの取り付け構造（請求項１）は、鍔部を有する連結部材がフィルタボックスから分離しているので、フィルタボックスを天井レベルより上側に待避させた状態で天井パネルを敷設し、正確な位置に開口を形成した後、フィルタボックスを天井レベルまで降ろして連結部材によりフィルタボックスと天井とを連結することができる。そのため、フィルタボックスに関する作業を、天井貼設業者が施工する以前に、予め墨出しされた天井レベルとフィルタ取り付け位置寸法とから導かれる位置へのフィルタボックスの天井裏への設置と、天井貼設業者が正しく開口した天井開口に向けた、その開口下からの作業のみによるフィルタボックスの天井への取り付けとに分けることができる。そしてその間の工程である天井の施工をフィルタボックスに関連する工程と分離し、他業種との作業の交錯を避けることができる。したがって作業の待ち時間が少なく、作業効率が高い。さらに、フィルタボックスを吊り部材で吊る作業も、その後の天井レベルまで降ろして連結部材を取り付けるという作業も室内側から行うことができるので、天井裏での作業の必要がない。そのため、天井裏に作業スペースを確保したり、作業足場を設けたりする必要がない。
また、前記フィルタボックスの上部に設けられた、回転運動により羽根の開度が調節される風量ダンパと、その風量ダンパに回転運動を伝達する機構とを備え、その回転運動を伝達する機構が、フィルタボックス側に設けられた風量ダンパに回転運動を伝達する上方の伝達機構と、前記連結部材側に設けられ、天井の下側から操作できる下方の伝達機構とからなるので、天井裏と屋内側とを連結する部品をフィルタボックスと連結部材という別体の部品上に設けたので、フィルタボックスと連結部材とを組み立てる際に同時に組み立てることができる。また、サブアッセンブリとして取り扱いや、在庫の管理も容易である。
さらに、前記フィルタボックスの側壁に開口部が形成されており、その開口部の外側の天井内に、前記上方の伝達機構と下方の伝達機構との接続部が配置されているので、フィルタボックスが天井内に突出している部分を利用しているので、屋内側から容易に天井内での作業を行うことができる。
【００２３】
このような、フィルタボックスの取り付け構造において、前記連結部材が、壁部の上端から内向きに延びる折り返し片を有する場合（請求項２）は、返し片の上面とフィルタボックスの内周面との間にコーキング材を乗せやすい。そのため、取り付け作業が容易になり、その部分の気密性も高めることができる。
【００２４】
さらに、前記連結部材が、鍔状部の先端から上方に延びる垂片を有する場合（請求項３）は、垂片の外側の面と天井の下面との間にコーキング材を盛り付けやすい。そのため、取り付け作業が容易になり、気密性も高めることができる。
【００２７】
本発明のフィルタボックスの施工方法（請求項４）によれば、正確な位置に開口を形成した後、フィルタボックスを天井レベルまで降ろして連結部材によりフィルタボックスと天井とを連結することができる。そのため、工事終了後のフィルタボックスと天井材目地との並びが整然と並んで見栄えがよくなる。さらにフィルタボックスを吊り部材で吊る作業も、その後の天井レベルまで降ろして連結部材を取り付けるという作業も室内側から行うことができるので、天井裏での作業の必要がない。そのため、天井裏に作業スペースを確保したり、作業足場を設けたりする必要がない。
【００２８】
このようなフィルタボックスの施工方法は、前記第５工程に続き、フィルタボックスの側壁に形成された開口部から前記上方の伝達機構と下方の伝達機構との接続部を接続し、その後開口部を閉じる工程を備えている。そのためフィルタボックスが天井内に突出している部分を利用して、屋内側から容易に天井内での作業を行うことができるので、作業効率が高い。
【発明を実施するための最良の形態】
【００２９】
つぎに図面を参照しながら本発明のフィルタボックスの取り付け構造（以下、取り付け構造という）の実施の形態を説明する。図１は本発明の取り付け構造の一実施形態を示す断面図、図２は図１の取り付け構造の分解斜視図、図３ａは図１の要部拡大図、図３ｂは図３ａのＡ矢視図、図４ａは図１のフェイスを示す正面図、図４ｂはその側面図、図５は図１の取り付け構造を取り付ける施工方法を示す工程図である。
【００３０】
まず、本発明のフィルタボックスの取り付け構造が用いられるクリーンルームについて説明する。クリーンルームは半導体装置の製造工場、食品工場などで用いられる防塵が施された部屋であり、室内に清浄度の高い空気を供給するためにＨＥＰＡフィルタを内蔵したフィルタボックスが吹き出し口として使われている。たとえば、天井に設けられたＨＥＰＡフィルタにより、例えばクラス１００〜１００，０００程度の清浄度を得ることができる。
【００３１】
ここから、図１および図２を参照して取り付け構造１を説明する。図１の取り付け構造１は、天井裏の梁や床スラブ下面などに上端が固定されている吊りボルト２と、その吊りボルト２の下端に取り付けられたフィルタボックス３と、そのフィルタボックス３の内部に収納されるＨＥＰＡフィルタ４と、フィルタボックス３を天井パネルＰに取り付ける連結部材５と、前記通気口を覆うフェイス６と、フィルタボックス３に取り付けられてダクト１１から流れる風量を調節する風量ダンパ７とからなる。
【００３２】
図１に示すように、吊りボルト２は、上方の一端を天井裏のスラブに埋め込んだ埋め込みナットに螺合され、下端でフィルタボックス３を吊っている。吊りボルト２の本数は、フィルタボックス３の四隅にそれぞれ配置できるように４本用いられている。ただしフィルタボックスの大きさに応じて変更できる。吊りボルトは、全ネジを施されても先端部分のみネジが施されてもよく、また、梁やスラブから直接ボックスを吊設することも、２本のＣチャンネル材を背中合わせで組んだ１次吊り元を介して水平方向に調節可能にしてボックスを吊設してもよい。
【００３３】
フィルタボックス３は、天板３ａと、その天板３ａの周縁から延びる筒状の周壁３ｂとを備えた箱状を呈しており、その下面側は開口しており通気口３ｃとなっている。前記天板３ａの四隅には、孔３ｄが形成されており、それらの孔３ｄに前記吊りボルト２の下端が通される。そして、フィルタボックス３の内側からナット２ａを吊りボルト２に螺合させ、天板３ａをそのナット２ａの上面で受け止める。そして、さらにロックナット２ｂを螺合させることにより、ナット２ａの回転をロックする。なお、フィルタボックス３にはステンレスが用いるのが好ましい。
【００３４】
図３に示すように、フィルタボックス３の周壁３ｂの内面には、ＨＥＰＡフィルタ４を支持するための固定ブラケット３ｅが設けられている。その固定ブラケット３ｅは、両端を上方に折り曲げた形状に形成され、一方の立ち上げ片をフィルタボックスの内周面にスポット溶接などにより固定している。そして、その接合部をシリコーンシーラントなどのコーキング材１０により埋めて確実に気密状態を保持している。
【００３５】
前記ＨＥＰＡフィルタ４は、フィルタ本体４ａと、そのフィルタ本体４ａの周囲を囲む枠部材４ｂとからなる。枠部材４ｂは軸方向の荷重を受けることができる。そのため、ＨＥＰＡフィルタ４の枠部材４ｂは、その上端をブラケット３ｅの底板に当て、下端から押さえ具８により上向きに押さえつけて固定することができる。押さえ具８は取り付けブラケット８ａと、その取り付けブラケット８ａに形成された孔を貫通しフィルタボックスの固定ブラケット３ｅに吊られたスタッドボルト８ｂと、そのスタッドボルト８ｂの下端に螺合したナット８ｃとからなる。なお、枠部材４ｂの上端部と固定ブラケット３ｅとの間には、ガスケット８ｄが介在され、接触部の気密性が高められている。
【００３６】
前記連結部材５は、フィルタボックス３の内周面に取り付けられる壁部５ａと、その壁部５ａの下端から外向きに延び、天井パネルＰに取り付けられる鍔部５ｂとを備えている（図２参照）。また、前記壁部５ａとフィルタボックス３の内周面とはビス９により連結固定している。ビス９の頭は壁部５ａと一体になるようにコーキング材１０で覆われている。さらに、壁部５ａの上端からは、内向きに返し片５ｃが延びている。その返し片５ｃの上面とフィルタボックスの内周面との間にコーキング材１０を乗せやすいので、取り付け作業が容易になり、気密性を高めることもできる。また、鍔状部５ｂの先端からは垂片５ｄが立ち上がっている。そのため、垂片５ｄの外側の面と天井パネルＰの下面との間にコーキング材１０を盛りつけやすいので、同じように取り付け作業が容易になり、気密性を高めることができる。
【００３７】
図４に示すように、フェイス６は、パンチグメタルで形成されている上板６ａと、その上板６ａから外向きに延びる鍔部６ｂとからなる従来公知のものである。
【００３８】
図１に戻って、前記風量ダンパ７は、ダンパ本体７ａと、そのダンパ本体７ａを作動させる回転伝達機構７ｂとからなる。ダンパ本体７ａは、フィルタボックス３の周壁３ｂの外面に設けられ、フィルタボックスとダクトＤとの間に介在されている。ダンパ本体７ａとしては、例えば内部の回転羽根を回動させてその角度を変更させることにより、開口部の開度を調整するものが用いられる。
【００３９】
風量ダンパ７の回転伝達機構７ｂは、室内からダンパ本体７ａの開度を調節するためのものであり、この実施形態ではトルクワイヤ７ｃが用いられている。トルクワイヤ７ｃの上端はダンパ本体７ａの回転羽根の軸に連結され、下端は連結軸７ｅを介して連結部材５の鍔部５ｂまで案内されている。鍔部５ｂには合成樹脂で形成された円筒状のスリーブ７ｄが設けられ、その内部に円柱状の連結軸７ｅが回転自在に支持され、室内側の端部はフェイス６の鍔部６ｂの開口を介して室内に若干突出している。室内に突出した連結軸７ｅの端部には、例えば六角穴が施され、六角レンチなどで回転可能となっている。連結軸の上端７ｆは、トルクワイヤ７ｃ側の下端部に挿入され、セットビス７ｇなどでトルク伝達可能に連結されている。連結軸７ｅの上端７ｆを平板あるいは多角形とし、トルクワイヤ７ｃｎ下端を連結軸の上端７ｆと嵌合する受け部とすることもできる。さらに、連結部７ｅとスリーブ７ｄとの隙間には、上下に離れた２本のＯリング７ｈが介在されている。そのため、この可動部は気密が保持されている。フィルタボックス３の壁部５ａのある一面、つまり、風量ダンパ７の回転伝達機構７ｂが設けられる、面のフェイス６の鍔部６ｂの直上部分に、丁番で吊設された扉７ｉで封止される窓７ｊがある。この窓７ｊをまたぐ形でトルクワイヤ押え７ｋが設けられ、その押さえ部７ｌにトルクワイヤ７ｃの下端が回転自在に差し込まれている。この窓７ｊを開けてトルクワイヤ７ｃとの連結軸の上端７ｆの連結を行うセットビス７ｇを適当な工具で回動させてトルクワイヤ７ｃと連結軸の上端７ｆとの両者を固定できるようになっている。
【００４０】
ここから、図６を用いて、上記のように構成される取り付け構造1の施工方法について説明する。上記の取り付け構造１は、フィルタボックス３と取り付け部材５とに分割しているので、図６の施工方法で天井に取り付けることができる。この施工方法では、まず、天井パネルＰが未だ施工されていないときに、スラブや梁に吊りボルトの端部を取り付ける。そして、フィルタボックス３は、その下端が天井レベルより上方になるように吊り部材を調節する（工程Ｓ１）。天井レベルとフィルタボックスの下端との高さ位置の差は５０〜２５０ｍｍで、好ましくは６０〜８０ｍｍである。この後、天井パネルが敷設される前に、フレキシブルダクト１１および風量調節ダンパ７を取り付ける。
【００４１】
次いで、天井貼設を行う業者が、天井パネルＰを敷設し、フィルタボックス３の通気口のための天井の開口を設計位置の通りに形成する。開口は予め工場で形成しておいてもよいし、現場で建築墨から、または天井の目地から追った寸法で墨出ししてもよい。
【００４２】
そして、天井パネルＰの開口を目掛けてフィルタボックス３を降ろす。このとき、フィルタボックス３を天井パネルＰの開口に合わせるように、４個のナット２ａの回転量を調整しながら降ろしていく。その後、連結部材５をフィルタボックス３の通気口３ａに入れて、複数の前記ビス９で固定する。なお、上記の施工の途中で、隙間をシリコーンシーラントなどのコーキング材１０でシールする。その後、フィルタ４を取り付ける前に、予めトルクワイヤ押さえ７ｋの押さえ部７ｌに差し込んだトルクワイヤ７ｃと、連結部材５に予め設置されている連結軸の上端７ｆとを、フィルタボックス３の壁部５ａの扉７ｉを開けて窓７ｊからセットビス７ｇを工具で回転させて連結固着する。その終了後扉７ｉを閉じてその周囲の返り部全周を、コーキング材１０で封止する。
【００４３】
この施工方法では、一旦フィルタボックスを設置した後、室内側からフィルタボックスの高さを調整することができる。その後、室内側から連結部材でフィルタボックスと天井とを気密にすることができる。そのため、天井裏における作業を少なくすることができる。また、ほぼ室内側からの作業で取り付けることもできるので、天井裏に作業員が入るためのスペースや、足場を必要としない。
【図面の簡単な説明】
【００４４】
【図１】図１は本発明の取り付け構造の一実施形態を示す断面図である。
【図２】図２は図１の取り付け構造の分解斜視図である。
【図３】図３ａは図１の要部拡大図、図３ｂは図３ａのＡ矢視図である。
【図４】図４ａは図１のフェイスを示す正面図、図４ｂはその側面図である。
【図５】図５は図１の取り付け構造を取り付ける施工方法を示す工程図である。
【図６】図６は従来の取り付け構造の一例を示す斜視図である。
【図７】図７は図６の取り付け構造の取り付けた状態を示す断面図である。
【図８】図８は図６の取り付け構造の施工方法を示す工程図である。
【符号の説明】
【００４５】
１  取り付け構造
２  吊りボルト
２ａ  ナット
２ｂ  ロックナット
３  フィルタボックス
３ａ  天面
３ｂ  周壁
３ｃ  通気口
３ｄ  孔
３ｅ  固定ブラケット
４  ＨＥＰＡフィルタ
４ａ  フィルタ本体
４ｂ  枠部材
５  連結部材
５ａ  壁部
５ｂ  鍔部
５ｃ  返し片
５ｄ  垂片
６  フェイス
６ａ  上板
６ｂ  鍔部
７  風量ダンパ
７ａ  ダンパ本体
７ｂ  回転伝達機構
７ｃ  トルクワイヤ
７ｄ  スリーブ
７ｅ  連結軸
７ｆ  上端
７ｇ  ビス
７ｈ  Ｏリング
７ｉ  扉
７ｊ  窓
７ｋ  トルクワイヤ押さえ
７ｌ  押さえ部
８  押さえ具
８ａ  取り付けブラケット
８ｂ  スタッドボルト
８ｃ  ナット
９  ビス
１０  コーキング材
１１  ダクト
【図１】
0005117256.tif 000002
【図２】
0005117256.tif 000003
【図３】
0005117256.tif 000004
【図４】
0005117256.tif 000005
【図５】
0005117256.tif 000006
【図６】
0005117256.tif 000007
【図７】
0005117256.tif 000008
【図８】
0005117256.tif 000009